(57)【特許請求の範囲】
【請求項１】
バックライトと、表示装置の外部環境の照度を検出するための第１の照度検出部と、前記バックライトから出力される光の明るさを制御するための制御部とを備える表示装置であって、
前記第１の照度検出部により照度を所定期間毎に検出し、連続した２回の検出照度の差異を表す第１差異値と第１閾値との大小関係を判断する第１の照度差異判断部と、
連続して所定回数、前記第１の照度検出部により検出される照度のうちの最大照度と最小照度の差異を表す第２差異値と第２閾値との大小関係を判断する第２の照度差異判断部を備え、
前記制御部は、前記第１差異値が前記第１閾値以上、かつ、前記第２差異値が前記第２閾値以下になると前記第１の照度検出部により検出された照度に基づいて前記バックライトから出力される光の明るさを変更することを特徴とする表示装置。
【請求項２】
前記制御部は、前記第２差異値が前記第２閾値よりも大きいか前記第１差異値が前記第１閾値未満であるときには前記バックライトから出力される光の明るさを変更しないことを特徴とする請求項１に記載の表示装置。
【請求項３】
前記第１の照度検出部の検出位置とは異なる位置の照度を検出するための第２の照度検出部を備え、
前記第１の照度差異判断部は、前記第１差異値と前記第１閾値との大小関係、及び、前記第２の照度検出部による連続した２回の検出照度の差異を表す第３差異値と前記第１閾値との大小関係を判断し、
前記制御部は、前記第１差異値と前記第３差異値のいずれも前記第１閾値以上、かつ、前記第２差異値が前記第２閾値以下になると前記第１の照度検出部により検出された照度に基づいて前記バックライトから出力される光の明るさを変更することを特徴とする請求項１又は請求項２に記載の表示装置。
【請求項４】
前記第２の照度差異判断部は、前記第２差異値と前記第２閾値との大小関係を判断し、連続して前記所定回数、前記第２の照度検出部により検出される照度のうちの最大照度と最小照度の差異を表す第４差異値と前記第２閾値との大小関係を判断し、
前記制御部は、前記第１差異値と前記第３差異値のいずれも前記第１閾値以上、かつ、前記第２差異値と前記第４差異値のいずれも前記第２閾値以下になると前記第１の照度検出部について検出された照度に基づいて前記バックライトから出力される光の明るさを変更することを特徴とする請求項３に記載の表示装置。
【請求項５】
前記第１の照度検出部は、表示画面の正面側の照度を検出する正面側照度センサを備え、
前記第２の照度検出部は、前記表示画面の上側の照度を検出する上側照度センサを備えることを特徴とする請求項３又は請求項４に記載の表示装置。
【請求項６】
前記第２の照度差異判断部は、前記所定回数の検出照度が全て同一であるか否かを判断し、
前記制御部は、前記所定回数の検出照度が全て同一になると前記検出された照度に基づいて前記バックライトから出力される光の明るさを変更する一方、前記所定回数の検出照度が全て同一にならないときには前記バックライトから出力される光の明るさを変更しないことを特徴とする請求項１に記載の表示装置。
【請求項７】
前記制御部は、前記バックライトから出力される光の明るさを、前記所定回数の検出照度の平均、又は、前記所定回数の最後の検出照度に対応した明るさに変更することを特徴とする請求項１〜請求項６のいずれか一項に記載の表示装置。
【発明の詳細な説明】
【技術分野】
【０００１】
本発明は、表示装置周囲の照度に応じて表示部の輝度を調整する表示装置に関する。
【背景技術】
【０００２】
特許文献１には、表示パネルのバックライトの明るさを制御可能な調光制御装置を搭載した液晶表示装置が開示されている。この液晶表示装置は、表示画面周囲に５個の光センサが設けられ、各光センサについて約０．１ｍＳの周期で連続３回サンプリング値を取得し、コンパレータの閾値をＶＰＬ２→ＶＰＬ１→ＶＰＬ０と段階的に変化させながら同一の光センサにおける連続３個のサンプリング値と比較してコンパレータから３個の比較結果（Ｈ又はＬ）を出力し、時分割処理により各光センサについて３個の比較結果（Ｈ又はＬ）を出力し、５個の光センサの出力についての３個の比較結果（Ｈ又はＬ）を多数決判定し、多数決判定結果をエンコードしてバックライトの明るさを制御する。
以上より、表示画面周囲の照度に短期間の変化が起こると、５個の光センサとも照度変化に応じて検出信号が変化し、５個の光センサの出力についての比較結果がいずれも変化する。従って、多数決判定結果も変化することとなり、バックライトが短期間の照度変化に応じた明るさに制御される。
【０００３】
特許文献２に記載の表示装置は、表示部の正面側に照射される外光量を検出する第１の外光センサと、表示部の天面側又は背面側に照射される外光量を検出する第２の外光センサと、周囲状況を示す周囲情報が入力されるマイコンとを備えている。このマイコンは、第１の外光センサからの外光量と、第２の外光センサからの外光量と、周囲情報とに基づいて表示部の画面の明るさを制御する。
【０００４】
特許文献３に記載の映像表示装置は、複数の周囲照度センサを用いて周囲照度を検知して画面の明るさを調整するように構成され、一部の周囲照度センサの出力が他の周囲照度センサの出力と異なっている場合、どの周囲照度センサの出力が部屋の明るさを反映しているかを判定し、判定した周囲照度を基に画面の明るさを調整する。
【０００５】
特許文献４に記載の反射型液晶表示装置は、表示面の近傍に設けられた複数の光センサにより表示面照度を検出し、その検出結果に基づいて、ライティング制御回路により表示面照度が所定の大きさとなるようにフロントライトの発光強度を制御する。
【先行技術文献】
【特許文献】
【０００６】
【特許文献１】特開２００７−１９９２７４号公報
【特許文献２】特開２０１０−９１８１６号公報
【特許文献３】特開２００７−３１００９６号公報
【特許文献４】再公表特許ＷＯ２００３／０５０６０２号公報
【発明の概要】
【発明が解決しようとする課題】
【０００７】
特許文献１〜４に記載の技術は、表示装置周囲の照度に短期間の変化が起こると、表示輝度に短期間の変化が生じてしまう。
【０００８】
以上を鑑み、本発明は、表示装置周囲の照度に短期間の変化が起こることにより表示輝度に短期間の変化が生じる煩わしさを抑制することを目的としている。
【課題を解決するための手段】
【０００９】
上記目的を達成するため、本発明は、バックライトと、表示装置の外部環境の照度を検出するための第１の照度検出部と、前記バックライトから出力される光の明るさを制御するための制御部とを備える表示装置であって、
前記第１の照度検出部により照度を所定期間毎に検出し、連続した２回の検出照度の差異を表す第１差異値と第１閾値との大小関係を判断する第１の照度差異判断部と、
連続して所定回数、前記第１の照度検出部により検出される照度のうちの最大照度と最小照度の差異を表す第２差異値と第２閾値との大小関係を判断する第２の照度差異判断部を備え、
前記制御部は、前記第１差異値が前記第１閾値以上、かつ、前記第２差異値が前記第２閾値以下になると前記第１の照度検出部により検出された照度に基づいて前記バックライトから出力される光の明るさを変更することを特徴とする。
【発明の効果】
【００１０】
請求項１、請求項２、請求項７に係る発明によれば、表示装置周囲の照度に短期間の変化が起こることにより表示輝度に短期間の変化が生じる煩わしさを抑制することができる。
請求項６に係る発明では、表示装置周囲の照度に短期間の変化が起こることにより表示輝度に短期間の変化が生じる煩わしさを簡易な構成で適切に抑制することができる。
請求項３〜請求項５に係る発明では、表示装置周囲の照度に短期間の変化が起こることにより表示輝度に短期間の変化が生じる煩わしさをさらに適切に抑制することができる。
【図面の簡単な説明】
【００１１】
【図１】（ａ）は本発明の一実施形態に係るテレビジョン（表示装置）１の構成を模式的に例示する正面図、（ｂ）はテレビジョン１の構成を模式的に例示する側面図、である。
【図２】テレビジョン１の回路構成を例示するブロック図である。
【図３】（ａ）は周囲照度に対するセンサ電圧出力の特性を例示する図、（ｂ）は周囲照度に対する画面輝度Ｌ１の特性を例示する図、である。
【図４】ＲＡＭ１１３に格納されるデータの構造を例示する図である。
【図５】テレビジョン１で行われるバックライト明るさ補正処理を例示するフローチャートである。
【図６】（ａ）は周囲照度の変化を例示する図、（ｂ）は照度センサの出力電圧の変化を例示する図、（ｃ）は画面輝度Ｌ１の変化を例示する図、である。
【図７】閾値ＴＨ１，ＴＨ２をいずれも０とした変形例のバックライト明るさ補正処理を示すフローチャートである。
【図８】正面側照度センサ３１のみを用いた変形例のバックライト明るさ補正処理を示すフローチャートである。
【図９】比較例に係るバックライト明るさ補正処理を示すフローチャートである。
【発明を実施するための形態】
【００１２】
（１）テレビジョン（表示装置）の概略：
図１（ａ），（ｂ）及び図２に例示するテレビジョン（表示装置）１は、表示画面１０となる液晶パネル１２８ａに映像（画像）を表示する薄型表示装置とされている。むろん、本発明を適用可能なテレビジョンは、液晶テレビジョンの他、プラズマテレビジョンといった薄型表示装置、受像管表示装置、記録再生装置が一体化されたテレビジョン、等のディスプレイでもよい。前記記録再生装置には、ハードディスク記録再生装置、ＢＤ（Blue-ray Disc）記録再生装置、ＤＶＤ（Digital Versatile Disk）記録再生装置、ビデオデッキ、等が含まれる。また、表示装置には、テレビジョン放送を受信しないディスプレイも含まれる。
【００１３】
上記テレビジョン（ＴＶ）１に例示される表示装置は、画像を表示するための表示部２、表示装置周囲の照度を検出するための照度検出手段３、検出された照度に応じて表示部２の輝度Ｌ１を調整するための輝度調整手段４、を備えるとともに、照度差異判断手段５を備える。
照度差異判断手段５は、照度検出手段３により照度を所定期間Ｔ毎に検出し、最新の検出照度ＥＦ０，ＥＵ０を含む連続した所定回数Ｎの検出照度ＥＦ０〜ＥＦ５，ＥＵ０〜ＥＵ５の最大照度ＥＦmax，ＥＵmaxと該所定回数Ｎの検出照度ＥＦ０〜ＥＦ５，ＥＵ０〜ＥＵ５の最小照度ＥＦmin，ＥＵminとの差異（Ｒ１，Ｒ２）と所定量（ＴＨ１）との大小関係を判断する。輝度調整手段４は、差異（Ｒ１，Ｒ２）が所定量（ＴＨ１）以下又は未満であると判断された場合に前記検出された照度に応じて表示部２の輝度Ｌ１を調整する一方、差異（Ｒ１，Ｒ２）が所定量（ＴＨ１）以下又は未満でないと判断された場合に表示部２の輝度Ｌ１を変更しない。
【００１４】
すなわち、最新の検出照度ＥＦ０，ＥＵ０を含む連続した所定回数Ｎの検出照度ＥＦ０〜ＥＦ５，ＥＵ０〜ＥＵ５から選ばれる最大照度ＥＦmax，ＥＵmaxと最小照度ＥＦmin，ＥＵminとの差異（Ｒ１，Ｒ２）が小さいと検出照度に応じて表示部２の輝度Ｌ１が調整され、差異（Ｒ１，Ｒ２）が大きいと表示部２の輝度Ｌ１が変わらない。これにより、表示装置周囲の照度に短期間の変化が起こったときに表示輝度Ｌ１に短期間の変化が生じない。従って、本表示装置は、表示装置周囲の照度に短期間の変化が起こることにより表示輝度Ｌ１に短期間の変化が生じる煩わしさを抑制することができる。
【００１５】
上記所定量は、閾値とされてもよい。従って、上記照度差異判断手段５は、所定回数Ｎの検出照度ＥＦ０〜ＥＦ５，ＥＵ０〜ＥＵ５の最大照度ＥＦmax，ＥＵmaxと該所定回数Ｎの検出照度ＥＦ０〜ＥＦ５，ＥＵ０〜ＥＵ５の最小照度ＥＦmin，ＥＵminとの差異を表す差異値Ｒ１，Ｒ２と所定の閾値ＴＨ１との大小関係を判断してもよい。上記輝度調整手段４は、差異値Ｒ１，Ｒ２が閾値ＴＨ１以下又は未満であると判断された場合に前記検出された照度に応じて表示部２の輝度Ｌ１を調整する一方、差異値Ｒ１，Ｒ２が閾値ＴＨ１以下又は未満でないと判断された場合に表示部２の輝度Ｌ１を変更しなくてもよい。これにより、表示装置周囲の照度に短期間の変化が起こることにより表示輝度Ｌ１に短期間の変化が生じる煩わしさを簡易な構成で適切に抑制することができる。
【００１６】
ここで、上記差異値には、最大照度ＥＦmax，ＥＵmaxを表す値Ｅmaxと最小照度ＥＦmin，ＥＵminを表す値Ｅminとの差（Ｅmax−Ｅmin）、この差を所定の関数で変換した値、値Ｅmax，Ｅminの比（Ｅmax／Ｅmin等）、この比を所定の関数で変換した値（１−（Ｅmin／Ｅmax））、これらの組合せ、等が含まれる。値Ｅmax，Ｅminは、照度そのものでもよいし、照度を所定の関数で変換した値でもよい。
上記所定回数Ｎは、照度の短期間の変化をより確実に検出する観点から、３回以上が好ましく、４回以上がより好ましく、５回以上がさらに好ましい。
【００１７】
上記照度差異判断手段５は、最新の検出照度ＥＦ０，ＥＵ０と該最新よりも１回前の検出照度ＥＦ１，ＥＵ１との差異を表す一回差異（一回差異値ＤＦ１，ＤＵ１）と第二所定量（第二の閾値ＴＨ２）との大小関係を判断し、一回差異（一回差異値ＤＦ１，ＤＵ１）が第二所定量（第二の閾値ＴＨ２）以上又はより大であると判断した場合に所定回数Ｎ、照度検出手段３により照度を所定期間Ｔ毎に検出し、該所定回数Ｎの検出照度ＥＦ０〜ＥＦ５，ＥＵ０〜ＥＵ５の最大照度ＥＦmax，ＥＵmaxと該所定回数Ｎの検出照度ＥＦ０〜ＥＦ５，ＥＵ０〜ＥＵ５の最小照度ＥＦmin，ＥＵminとの差異を表す差異値Ｒ１，Ｒ２と閾値ＴＨ１との大小関係を判断する一方、一回差異（一回差異値ＤＦ１，ＤＵ１）が第二所定量（第二の閾値ＴＨ２）以上又はより大でないと判断した場合に差異値Ｒ１，Ｒ２と閾値ＴＨ１との大小関係の判断を行わなくてもよい。このとき、上記輝度調整手段４は、一回差異（一回差異値ＤＦ１，ＤＵ１）が第二所定量（第二の閾値ＴＨ２）以上又はより大でないと判断した場合に表示部２の輝度Ｌ１を変更しなくてもよい。
【００１８】
すなわち、所定回数Ｎの検出照度ＥＦ０〜ＥＦ５，ＥＵ０〜ＥＵ５から得られる差異値Ｒ１，Ｒ２と閾値ＴＨ１との大小関係を判断する前に２回の検出照度から得られる一回差異（一回差異値ＤＦ１，ＤＵ１）と第二所定量（第二の閾値ＴＨ２）との大小関係を判断するので、差異値Ｒ１，Ｒ２と閾値ＴＨ１との大小関係の判断処理が減り、表示輝度調整処理を軽減することができる。従って、表示装置周囲の照度に短期間の変化が起こることにより表示輝度Ｌ１に短期間の変化が生じる煩わしさをさらに適切に抑制することができる。
【００１９】
上記第二所定量は、第二の閾値ＴＨ２とされてもよい。ここで、第二の閾値ＴＨ２は、閾値ＴＨ１と同じでもよいし、閾値ＴＨ１と異なる値でもよい。
上記一回差異値には、最新の検出照度ＥＦ０，ＥＵ０を表す値Ｅ０と１回前の検出照度ＥＦ１，ＥＵ１を表す値Ｅ１との差（｜Ｅ１−Ｅ０｜）、この差を所定の関数で変換した値、値Ｅ０，Ｅ１の比（Ｅ０／Ｅ１又はＥ１／Ｅ０）、この比を所定の関数で変換した値（｜（Ｅ０／Ｅ１）−１｜等）、これらの組合せ、等が含まれる。値Ｅ０，Ｅ１は、照度そのものでもよいし、照度を所定の関数で変換した値でもよい。
【００２０】
上記照度検出手段３は、互いに異なる位置の照度を検出するための第一の照度検出手段３ａ及び第二の照度検出手段３ｂを備えていてもよい。
このとき、上記照度差異判断手段５は、第一の照度検出手段３ａによる検出照度ＥＦ０〜ＥＦ５の差異を表す一回差異値ＤＦ１と第二の閾値ＴＨ２との大小関係、及び、第二の照度検出手段３ｂによる検出照度ＥＵ０〜ＥＵ５の差異を表す一回差異値ＤＵ１と第二の閾値ＴＨ２との大小関係を判断し、いずれの一回差異値ＤＦ１，ＤＵ１も第二の閾値ＴＨ２以上又はより大であると判断した場合に所定回数Ｎ、第一の照度検出手段３ａ及び第二の照度検出手段３ｂにより照度を所定期間Ｔ毎に検出し、第一の照度検出手段３ａについて該所定回数Ｎの検出照度ＥＦ０〜ＥＦ５の最大照度ＥＦmaxと該所定回数Ｎの検出照度ＥＦ０〜ＥＦ５の最小照度ＥＦminとの差異を表す第一差異値Ｒ１と閾値ＴＨ１との大小関係を判断し、第二の照度検出手段３ｂについて該所定回数Ｎの検出照度ＥＵ０〜ＥＵ５の最大照度ＥＵmaxと該所定回数Ｎの検出照度ＥＵ０〜ＥＵ５の最小照度ＥＵminとの差異を表す第二差異値Ｒ２と閾値ＴＨ１との大小関係を判断する一方、いずれか一方の一回差異値ＤＦ１，ＤＵ１が第二の閾値ＴＨ２以上又はより大でないと判断した場合に第一差異値Ｒ１と閾値ＴＨ１との大小関係の判断、及び、第二差異値Ｒ２と閾値ＴＨ１との大小関係の判断を行わなくてもよい。
このとき、上記輝度調整手段４は、第一差異値Ｒ１が閾値ＴＨ１以下又は未満、かつ、第二差異値Ｒ２が閾値ＴＨ１以下又は未満であると判断された場合に第一の照度検出手段３ａについて検出された照度に応じて表示部２の輝度Ｌ１を調整する一方、第一差異値Ｒ１が閾値ＴＨ１以下又は未満でないか、又は、第二差異値Ｒ２が閾値ＴＨ１以下又は未満でないと判断された場合に表示部２の輝度Ｌ１を変更せず、さらに、いずれか一方の一回差異値ＤＦ１，ＤＵ１が第二の閾値ＴＨ２以上又はより大でないと判断した場合に表示部２の輝度Ｌ１を変更しなくてもよい。
【００２１】
すなわち、表示輝度調整用の検出照度を得るための第一の照度検出手段３ａに第二の照度検出手段３ｂが併用されているので、表示輝度を調整するか否かの判断の精度が向上する。従って、表示装置周囲の照度に短期間の変化が起こることにより表示輝度Ｌ１に短期間の変化が生じる煩わしさをさらに適切に抑制することができる。
【００２２】
上記第一の照度検出手段３ａは、表示部２の正面側の照度を検出する正面側照度センサ３１を備えていてもよい。上記第二の照度検出手段３ｂは、前記表示部２の上側の照度を検出する上側照度センサ３２を備えていてもよい。
すなわち、表示部２の正面側の照度が表示輝度調整用の検出照度とされ、表示部２の上側の照度とともに検出照度が表示輝度を調整するか否かの判断に用いられる。従って、表示装置周囲の照度に短期間の変化が起こることにより表示輝度Ｌ１に短期間の変化が生じる煩わしさをさらに適切に抑制することができる。
【００２３】
上記閾値（所定量）は、０とされてもよい。従って、上記照度差異判断手段５は、所定回数Ｎの検出照度ＥＦ０〜ＥＦ５，ＥＵ０〜ＥＵ５が全て同一であるか否かを判断してもよい。上記輝度調整手段４は、所定回数Ｎの検出照度ＥＦ０〜ＥＦ５，ＥＵ０〜ＥＵ５が全て同一であると判断された場合に前記検出された照度に応じて表示部２の輝度Ｌ１を調整する一方、所定回数Ｎの検出照度ＥＦ０〜ＥＦ５，ＥＵ０〜ＥＵ５が全て同一とは判断されなかった場合に表示部２の輝度Ｌ１を変更しなくてもよい。これにより、表示装置周囲の照度に短期間の変化が起こることにより表示輝度Ｌ１に短期間の変化が生じる煩わしさを簡易な構成で適切に抑制することができる。
【００２４】
（２）テレビジョン（表示装置）の構成：
ＴＶ１は、キャビネット８、照度センサ３１，３２、マイコン（マイクロコンピュータ）１１０、不揮発性メモリ１１８、本体側送受信装置１１９、表示手段１２１〜１２８、音声出力部１３０、リモコン（リモートコントロール装置）９、等を備えている。テレビジョン本体を形作るキャビネット８は、樹脂等で略箱形に形成され、表示画面１０のための開口を前面に有している。照度検出手段３を構成する照度センサ３１，３２は、キャビネット８に取り付けられている。マイコン１１０は、映像表示及び音声出力を制御する。不揮発性メモリ１１８は、例えば不揮発性半導体メモリで構成され、各種データを保持する。不揮発性メモリ１１８は、ハードディスクといった磁気ディスク等でもよい。本体側送受信装置１１９は、リモコン９との間で赤外線信号（無線信号）を送受信可能である。リモコン９以外のＴＶ１の電気回路は、キャビネット８に収容されている。
まず、表示手段の各部を説明する。
【００２５】
チューナ回路１２１は、例えば、マイコン１１０の制御により、ＰＬＬ（Phase Lock Loop）シンセサイザ方式の選局方式で選局し、アンテナ１２２から受信したテレビジョン放送信号を高周波増幅し、増幅後の信号をヘテロダイン検波によって中間周波信号に変換する。テレビジョン放送には、地上デジタル放送、ＢＳ（Broadcasting Satellite）放送、ＣＳ（Communication Satellite）放送、地上アナログ放送、等が含まれる。中間周波増幅回路１２３は、チューナ回路１２１から前記中間周波信号を入力し、該中間周波信号を増幅して映像検波回路１２４へ出力する。映像検波回路１２４は、中間周波増幅回路１２３から入力される中間周波信号から復号映像信号及び音声信号を取り出す。復号映像信号には、輝度信号や搬送色信号や同期信号が含まれる。ＡＧＣ（Automatic Gain Control）回路１２５は、映像検波回路１２４から同期信号を入力し、該同期信号の大きさ強さに応じたＲＦ−ＡＧＣ（Radio Frequency Automatic Gain Control）電圧およびＩＦ−ＡＧＣ（Intermediate Frequency Automatic Gain Control）電圧を生成する。映像信号処理部１２６は、複合映像信号をさらに増幅し、Ｙ／Ｃ分離回路１２６ａでＹ／Ｃ分離を行い、輝度信号（Ｙ）をマトリクス回路１２６ｃに対して出力し、搬送色信号（Ｃ）を色復調回路１２６ｂに対して出力し、同期分離によって得られる同期信号をマイコン１１０に対して出力する。色復調回路１２６ｂは、Ｙ／Ｃ分離回路１２６ａから入力される搬送色信号（Ｃ）をＲ−Ｙの色差信号及びＢ−Ｙの色差信号に復調し、マトリクス回路１２６ｃに対して出力する。マトリクス回路１２６ｃは、入力される輝度信号（Ｙ）、Ｒ−Ｙ色差信号及びＢ−Ｙ色差信号に基づいてマトリクス変換処理を行い、ＲＧＢ（Red-Green-Blue）信号を生成する。液晶ドライバ１２７は、映像信号処理部１２６からのＲＧＢ信号を入力し、液晶モジュール１２８を駆動するための駆動信号をＲＧＢ信号に従って生成し、この駆動信号を液晶モジュール１２８へ出力する。
【００２６】
表示部２を構成する液晶モジュール１２８は、表示画面１０となる液晶パネル１２８ａ、液晶パネル１２８ａを背面から照射するバックライト１２８ｂ、入力される電源電圧から高電圧を生成してバックライト１２８ｂに供給するバックライト駆動部１２８ｃ、を備えている。液晶モジュール１２８は、液晶ドライバ１２７からの駆動信号を入力し、この駆動信号に従ってバックライト１２８ｂを点灯させながら液晶パネル１２８ａに映像を表示させる。
【００２７】
バックライト駆動部１２８ｃは、マイコン１１０からの制御信号に応じたデューティ比のＰＷＭ（Pulse Width Modulation）信号を生成するＰＷＭ調光回路１２８ｄを備えている。バックライト駆動部１２８ｃは、ＰＷＭ信号のデューティ比に応じてバックライト１２８ｂの明るさを制御する。具体的には、ＰＷＭ信号のデューティ比が大きくなるほどバックライト１２８ｂの発光を明るくさせ、ＰＷＭ信号のデューティ比が小さくなるほどバックライト１２８ｂの発光を暗くさせる。その結果、表示画面１０（表示部２）の輝度が調整される。
以上より、マイコン１１０、バックライト１２８ｂ及びバックライト駆動部１２８ｃは、輝度調整手段４を構成する。
【００２８】
また、音声出力部１３０は、映像検波回路１２４から入力される音声信号を増幅し、音声信号に対応した音声をスピーカから出力する。
【００２９】
マイコン１１０は、内部のバスに接続されたＣＰＵ（Central Processing Unit）１１１、半導体メモリ１１２，１１３、時計回路１１４、ＯＳＤ（On-Screen Display）回路１１５、Ａ／Ｄ（アナログ／デジタル）変換回路１１６，１１７、Ｉ／Ｏ（入出力）回路、等を備えている。ＣＰＵ１１１は、ＲＡＭ（Random Access Memory）１１３をワークエリアとして利用しながらＲＯＭ（Read Only Memory）１１２に書き込まれたテレビジョン用の制御プログラムを実行し、ＴＶ１全体の動作を制御する。ＲＯＭ１１２には、輝度調整手段４や照度差異判断手段５を含むＴＶ１としてコンピュータを機能させる複数のプログラムが書き込まれている。ＲＡＭ１１３は、図４に示すように、最新の検出照度ＥＦ０，ＥＵ０を含む連続した所定回数Ｎの検出照度ＥＦ０〜ＥＦ５，ＥＵ０〜ＥＵ５を表す値を格納する。これらの値は、照度そのものでもよいし、照度を所定の関数で変換した値でもよい。時計回路１１４は、現在時刻を計時し、一定時間毎に割込信号を生成してＣＰＵ１１１へ出力可能である。ＯＳＤ回路１１５は、ＯＳＤ画面の被重畳信号を生成して映像信号処理部１２６へ出力する。Ａ／Ｄ変換回路１１６，１１７には、照度センサ３１，３２が接続されている。
以上より、マイコン１１０は、輝度調整手段４を構成するとともに、照度差異判断手段５を構成する。
【００３０】
正面側照度センサ３１は、キャビネット８の正面側において表示画面１０の下側に取り付けられたアナログ出力の照度センサであり、表示画面１０の正面側の照度を検出するための第一の照度検出手段３ａを構成する。上側照度センサ３２は、キャビネット８の上側に取り付けられたアナログ出力の照度センサであり、表示画面１０の上側の照度を検出するための第二の照度検出手段３ｂを構成する。
図３（ａ）は、周囲照度に対する照度センサの電圧出力の特性を例示している。ここで、横軸は照度（lx）であり、縦軸は照度センサの電圧出力（Ｖ）である。本照度センサは、ＴＶ１の近傍を人や物が横切ったり、至近距離で視聴しているユーザーが動いたりする等により、０〜２００lx程度の間で瞬間的な（短時間の）周囲照度の変化が生じると、電圧出力が変動する。
【００３１】
図３（ｂ）は、周囲照度に対する表示画面１０の輝度Ｌ１の特性を例示している。ここで、横軸は照度（ｌｘ）であり、縦軸は表示画面１０の輝度Ｌ１（cd／m2）である。周囲照度に短期間の変化が無ければ、０〜２００lx程度の間で表示画面１０の輝度Ｌ１は周囲照度に合わせた輝度となる。
【００３２】
ここで、図９に示す比較例に係るバックライト明るさ補正処理を説明する。本処理を行うＴＶは、キャビネットの正面側にのみアナログ出力照度センサが取り付けられているものとする。本処理は、例えば、ＴＶの電源オン時に開始し、マルチタスクにより他の処理と並列して行われる。
処理を開始すると、ＴＶのマイコンは、照度センサからの検出照度を表すデジタル値を１００ミリ秒毎に１６回読み込み、ＲＡＭに格納する（ステップＳ９０２。以下、「ステップ」の記載を省略）。Ｓ９０４では、連続した１６回の検出照度（デジタル値）の相加平均値を算出する。マイコンは、求められた平均値に応じてバックライトの明るさをＰＷＭ補正するための制御信号を生成してＰＷＭ調光回路へ出力し（Ｓ９０６）、Ｓ９０２に戻る。
【００３３】
例えば、周囲照度が２００lxから１秒間だけ１００lxとなって２００lxに戻ったとする。周囲照度２００lxの状態が続いているときには、平均値が２００lxに対応した値となり、バックライトの明るさは２００lxに対応した明るさとなる。１６回の期間中に周囲照度が１秒間１００lxとなると、平均値は（１００×１０＋２００×６）／１６＝１３７．５lxに対応した値となり、バックライトの明るさは１３７．５lxに対応した明るさとなる。むろん、周囲照度が２００lxに戻ると、平均値も２００lxに対応した値となり、バックライトの明るさは２００lxに対応した明るさに戻る。従って、ＴＶ周囲の照度に短期間の変化が起こると、表示画面の輝度に短期間の変化が生じてしまう。このことは、表示画面１０を見ているユーザーに煩わしさを感じさせることとなる。
一方、本実施形態のＴＶ１は、瞬間的な周囲照度変化に対して画面輝度補正が行われない一方で、短期間でなく変わる周囲照度に合わせた適切な画面輝度で表示する。
【００３４】
（３）テレビジョン（表示装置）の動作、作用、及び、効果：
次に、ＴＶ１の動作、作用、及び、効果を説明する。
図５は、ＴＶ１で行われるバックライト明るさ補正処理をフローチャートにより例示している。本処理は、例えば、ＴＶの電源オン時に開始し、マルチタスクにより他の処理と並列して行われる。ここで、Ｓ１０２〜Ｓ１１４の処理を行うマイコン１１０は、照度差異判断手段５を構成する。また、Ｓ１１６の処理を行うマイコン１１０は、バックライト１２８ｂ及びバックライト駆動部１２８ｃとともに輝度調整手段４を構成する。
【００３５】
処理を開始すると、マイコン１１０は、両照度センサ３１，３２からの検出照度に対応したデジタル値をＴ秒毎となるように読み込み、ＲＡＭ１１３に格納する（Ｓ１０２）。これにより、マイコン１１０は、照度センサ３１，３２により照度を所定期間Ｔ秒毎に検出する。照度の検出間隔Ｔは、特に限定されないが、０．１〜２秒程度（例えば０．４秒）とすることができる。図４を参照して説明すると、ＲＡＭ１１３に格納されている過去の検出照度を表す値を１回前へシフトし、今回の検出照度を最新の検出照度ＥＦ０，ＥＵ０としてＲＡＭ１１３に格納する。ｉ回前の検出照度ＥＦｉ，ＥＵｉ（ｉは１〜４の整数）を表す値についてはｉ＋１回前の検出照度を表す値としてＲＡＭ１１３に格納しておく。これにより、新たなｉ回前の検出照度ＥＦｉ，ＥＵｉ（ｉは１〜５の整数）は、ｉＴ秒前の検出照度となる。
【００３６】
Ｓ１０４では、正面側照度センサ３１からの最新の検出照度ＥＦ０が１回前の検出照度ＥＦ１と比べて大きく変化しているか否かを判断する。例えば、ＲＡＭ１１３に格納された検出照度ＥＦ０，ＥＦ１の差異を表す一回差異値ＤＦ１＝｜ＥＦ１−ＥＦ０｜を求め、この一回差異値ＤＦ１と第二の閾値（第二所定量）ＴＨ２（ＴＨ２≧０）との大小関係を判断する。一回差異値は、ＥＦ０とＥＦ１の差が大きくなるほど大きくなる値が好ましいが、ＥＦ０とＥＦ１の差が大きくなるほど小さくなる値でもよい。第二の閾値ＴＨ２は、所定回数Ｎの検出照度の変動を表す差異値と対比するための閾値ＴＨ１でもよいし、０でもよい。一回差異値が整数となる場合、ＴＨ２は１又は２程度でもよい。一回差異値のとりうる範囲が０〜ＤＦ１max（ＤＦ１max＞０）である場合、ＴＨ２は０．０１×ＤＦ１max〜０．１×ＤＦ１max程度でもよい。Ｓ１０４では、一回差異値ＤＦ１が閾値ＴＨ２以上である場合にＳ１０６へ進み、一回差異値ＤＦ１が閾値ＴＨ２未満である場合にＳ１０２に戻る。むろん、Ｓ１０４では、一回差異値ＤＦ１が閾値ＴＨ２よりも大きい場合にＳ１０６へ進み、一回差異値ＤＦ１が閾値ＴＨ２以下である場合にＳ１０２に戻ってもよい。ＴＨ２＝０の場合、ＤＦ１＞ＴＨ２であるか否かを判断すればよい。
【００３７】
正面側照度センサ３１の出力電圧変化を検出した際、上側照度センサ３２の出力電圧にも同様の変化が発生したか比較を行い、上側照度センサ３２では出力電圧変化が発生しておらず、出力電圧変化発生が正面側照度センサ３１のみの場合は、バックライトのＰＷＭ補正は行わず、出力電圧変化直前の画面輝度を保つことにしている。そこで、Ｓ１０６では、上側照度センサ３２からの最新の検出照度ＥＵ０が１回前の検出照度ＥＵ１と比べて大きく変化しているか否かを判断する。例えば、ＲＡＭ１１３に格納された検出照度ＥＵ０，ＥＵ１の差異を表す一回差異値ＤＵ１＝｜ＥＵ１−ＥＵ０｜を求め、この一回差異値ＤＵ１と第二の閾値ＴＨ２（ＴＨ２≧０）との大小関係を判断する。一回差異値は、ＥＵ０とＥＵ１の差が大きくなるほど大きくなる値が好ましいが、ＥＵ０とＥＵ１の差が大きくなるほど小さくなる値でもよい。第二の閾値ＴＨ２は、所定回数Ｎの検出照度の変動を表す差異値と対比するための閾値ＴＨ１でもよいし、０でもよい。一回差異値が整数となる場合、ＴＨ２は１又は２程度でもよい。一回差異値のとりうる範囲が０〜ＤＵ１max（ＤＵ１max＞０）である場合、ＴＨ２は０．０１×ＤＵ１max〜０．１×ＤＵ１max程度でもよい。Ｓ１０６では、一回差異値ＤＵ１が閾値ＴＨ２以上である場合にＳ１０８へ進み、一回差異値ＤＵ１が閾値ＴＨ２未満である場合にＳ１０２に戻る。むろん、Ｓ１０６では、一回差異値ＤＵ１が閾値ＴＨ２よりも大きい場合にＳ１０８へ進み、一回差異値ＤＵ１が閾値ＴＨ２以下である場合にＳ１０２に戻ってもよい。ＴＨ２＝０の場合、ＤＦ１＞ＴＨ２であるか否かを判断すればよい。
【００３８】
照度センサ３１，３２ともに出力電圧変化が発生した際は、照度センサ３１，３２の出力電圧を例えば400msec毎にＮ回読み込むことにしている。ここで、照度センサ３１，３２ともにＮ回全ての値が一致した場合、周囲照度が変化したものとし、正面側照度センサ３１の出力電圧に従って、電圧に応じたバックライトＰＷＭ補正を行う。一方、照度センサ３１，３２のいずれかの値が一致しない場合は、瞬間的な照度の変化が発生したものとして補正動作を行わず、出力電圧変化直前の画面輝度を保つことにしている。
まず、Ｓ１０８では、両照度センサ３１，３２からの検出照度に対応したデジタル値をＴ秒毎にＮ回読み込み、ＲＡＭ１１３に格納する。これにより、マイコン１１０は、いずれの一回差異値ＤＦ１，ＤＵ１も閾値ＴＨ２以上又はより大であると判断した場合に所定回数（Ｎ）、照度センサ３１，３２により照度を所定期間Ｔ毎に検出する。所定回数Ｎは、特に限定されないが、例えば６回とすることができる。
【００３９】
Ｓ１１０では、正面側照度センサ３１からの連続した所定回数Ｎの検出照度ＥＦ０〜ＥＦ５のうち、最大照度をＥＦmax、最小照度をＥＦminとして、最大照度ＥＦmaxと最小照度ＥＦminとの差異を表す第一差異値Ｒ１＝ＥＦmax−ＥＦminを算出する。
Ｓ１１２では、上側照度センサ３２からの連続した所定回数Ｎの検出照度ＥＵ０〜ＥＵ５のうち、最大照度をＥＵmax、最小照度をＥＵminとして、最大照度ＥＵmaxと最小照度ＥＵminとの差異を表す第二差異値Ｒ２＝ＥＵmax−ＥＵminを算出する。
差異値Ｒ１，Ｒ２は、最大照度と最小照度の差が大きくなるほど大きくなる値が好ましいが、最大照度と最小照度の差が大きくなるほど小さくなる値でもよい。
【００４０】
Ｓ１１４では、第一差異値Ｒ１と閾値（所定量）ＴＨ１（ＴＨ１≧０）との大小関係、及び、第二差異値Ｒ２と閾値ＴＨ１（ＴＨ１≧０）との大小関係を判断する。ＴＨ１は、０でもよい。差異値が整数となる場合、ＴＨ１は１又は２程度でもよい。差異値のとりうる範囲が０〜Ｒmax（Ｒmax＞０）である場合、ＴＨ２は０．０１×Ｒmax〜０．１×Ｒmax程度でもよい。Ｓ１１４では、第一差異値Ｒ１が閾値ＴＨ１以下、かつ、第二差異値Ｒ２が閾値ＴＨ１以下である場合にＳ１１６へ進み、第一差異値Ｒ１が閾値ＴＨ１よりも大きいか、又は、第二差異値Ｒ２が閾値ＴＨ１よりも大きい場合にＳ１０２に戻る。むろん、Ｓ１１４では、第一差異値Ｒ１が閾値ＴＨ１未満、かつ、第二差異値Ｒ２が閾値ＴＨ１未満である場合にＳ１１６へ進み、第一差異値Ｒ１が閾値ＴＨ１以上、又は、第二差異値Ｒ２が閾値ＴＨ１以上である場合にＳ１０２に戻ってもよい。ＴＨ１＝０の場合、Ｒ１≦ＴＨ１かつＲ２≦ＴＨ１であるか否かを判断すればよい。
【００４１】
Ｓ１１６では、正面側照度センサ３１からの検出照度に応じてバックライト１２８ｂの明るさをＰＷＭ補正するための制御信号を生成してＰＷＭ調光回路１２８ｄへ出力する。ＰＷＭ補正のための検出照度に対応した値は、連続６回の検出照度ＥＦ０〜ＥＦ５の平均を表す値、最新の検出照度ＥＦ０を表す値、等とすることができる。ＰＷＭ調光回路１２８ｄは、入力される制御信号に従ったデューティ比のＰＷＭ信号を生成する。バックライト駆動部１２８ｃは、ＰＷＭ信号のデューティ比に応じてバックライト１２８ｂの明るさを制御する。その結果、表示画面１０の輝度が調整される。
その後、マイコン１１０は、処理をＳ１０２に戻す。
【００４２】
図６（ａ）は、ＴＶ１の正面側及び上側の照度の変化を例示している。ここで、縦軸は時間（秒）、横軸は照度（lx）を示している。図６（ｂ）は、図６（ａ）に示す周囲照度変化が生じているときのセンサ出力の変化を例示している。ここで、縦軸は時間（秒）、横軸は照度センサ３１，３２の出力電圧（Ｖ）を示している。図６（ｃ）は、画面輝度Ｌ１の変化を例示している。ここで、縦軸は時間（秒）、横軸は表示画面１０の輝度Ｌ１（cd／m2）を示している。
所定期間Ｔは０．４秒、所定回数Ｎは６回、閾値ＴＨ１，ＴＨ２はいずれも照度センサ３１，３２の出力電圧０．１Ｖ相当の値とする。
【００４３】
図６（ｂ）の例では、正面側照度センサ３１の出力電圧のみ約２．７Ｖから１．６〜２．０秒の短期間、約１．７Ｖに下がっている。従来であれば、約１．７Ｖのデジタル値が用いられて表示画面の輝度が短期間、下がることになる。本ＴＶ１においては、１．６〜２．０秒の間、上側照度センサ３２の出力電圧は下がっていないので、図５のＳ１０６で条件不成立となり、Ｓ１１６のＰＷＭ補正は行われない。
また、正面側照度センサ３１の出力電圧は、約２．７Ｖから４．０〜４．８秒の短期間、約２．０Ｖ以下に下がっている。上側照度センサ３２の出力電圧も、約３．０Ｖから４．０〜４．８秒の短期間、約２．３Ｖ以下に下がっている。本ＴＶ１においては、時間４．０秒においてＳ１０４，Ｓ１０６の条件がともに成立し、４．４〜６．４秒の連続６回の出力電圧から差異値Ｒ１，Ｒ２が求められる。正面側照度センサ３１からの第一差異値Ｒ１は約２．７−１．３Ｖに対応した値となり、上側照度センサ３２からの第二差異値Ｒ２は約３．０−１．７Ｖに対応した値となる。この場合、図５のＳ１１４で条件不成立となり、Ｓ１１６のＰＷＭ補正は行われない。
【００４４】
一方、正面側照度センサ３１の出力電圧は、時間６．８秒以降、約１．３Ｖで一定となっている。上側照度センサ３２の出力電圧も、時間６．８秒以降、約１．７Ｖで一定となっている。本ＴＶ１においては、時間６．８秒においてＳ１０４，Ｓ１０６の条件がともに成立し、７．２〜９．２秒の連続６回の出力電圧から差異値Ｒ１，Ｒ２が求められる。７．２〜９．２秒の間、照度センサ３１，３２の出力電圧が変化していないので、正面側照度センサ３１からの第一差異値Ｒ１は０となり、上側照度センサ３２からの第二差異値Ｒ２も０となる。この場合、図５のＳ１１４で条件成立となり、Ｓ１１６のＰＷＭ補正が行われる。
【００４５】
以上説明したように、最新の検出照度ＥＦ０，ＥＵ０を含む連続した所定回数Ｎの検出照度ＥＦ０〜ＥＦ５，ＥＵ０〜ＥＵ５から選ばれる最大照度ＥＦmax，ＥＵmaxと最小照度ＥＦmin，ＥＵminとの差異（Ｒ１，Ｒ２）が小さいと検出照度に応じて表示部２の輝度Ｌ１が調整され、差異（Ｒ１，Ｒ２）が大きいと表示部２の輝度Ｌ１が変わらない。これにより、瞬間的（例えば２sec以内）な照度変化に対して画面輝度変化が発生せず、適切な画面輝度が保たれるため、ユーザーに煩わしさを与えない。従って、本表示装置は、表示装置周囲の照度に短期間の変化が起こることにより表示輝度Ｌ１に短期間の変化が生じる煩わしさを抑制することができる。
また、ＴＶ１から上方向の照度も感知するため、正面側照度センサ３１近辺のみの照度変化に対して画面輝度補正が掛からない。この点でも、本表示装置は、表示装置周囲の照度に短期間の変化が起こることにより表示輝度Ｌ１に短期間の変化が生じる煩わしさを抑制することができる。
【００４６】
（４）変形例：
複数のＬＥＤ（発光ダイオード）を用いて表示するＬＥＤ表示装置を用いる場合、各ＬＥＤの発光輝度を調整することによって表示画面の輝度を調整することができる。
表示装置には、上述した第一及び第二の照度検出手段とは異なる位置の照度を検出するための第三、必要に応じて第四、第五、…、の照度検出手段が設けられてもよい。バックライト明るさ補正処理については、例えば、全ての照度検出手段についてＳ１０４，Ｓ１０６のように検出照度を表す値が閾値以上又はより大の場合にＳ１０８以降の処理を行い、全ての照度検出手段についてＳ１１０，Ｓ１１２のように差異値Ｒ１，Ｒ２，…，Ｒｎを算出し、全ての照度検出手段についてＳ１１４のようにＲ１，Ｒ２，…，Ｒｎがいずれも閾値ＴＨ１以下又は未満であるか否かを判断すればよい。
最大照度と最小照度の差異を比で表す場合、この比が１又は１に近い場合に表示部の輝度を調整すればよい。例えば、比を最小照度Ｅminに対する最大照度Ｅmaxの比とすると、閾値ＴＨ１を１＜ＴＨ１（例えば、１．０１＜ＴＨ１＜２、１．０２＜ＴＨ１＜１．５、１．１＜ＴＨ１＜１．３）として、比Ｅmax／Ｅminが閾値ＴＨ１以下又は未満であるか否かを判断すれば、最大照度と最小照度の差異と所定量との大小関係を判断することになる。
上述した処理の各ステップの順番は、適宜、変更可能である。例えば、図５のＳ１０４の判断処理の前にＳ１０６の判断処理を行ってもよい。
【００４７】
図７は、閾値（所定量）ＴＨ１及び第二の閾値（第二所定量）ＴＨ２をいずれも０とした変形例のバックライト明るさ補正処理をフローチャートにより示している。本フローは、図５のフローと比べて、Ｓ１０４がＳ１２２に置き換わり、Ｓ１０６がＳ１２４に置き換わり、Ｓ１１０〜Ｓ１１４がＳ１２６に置き換わっている。
【００４８】
処理を開始すると、マイコン１１０は、両照度センサ３１，３２からの検出照度に対応した値をＴ秒毎となるように読み込み、ＲＡＭ１１３に格納する（Ｓ１０２）。Ｓ１２２では、正面側照度センサ３１からの最新の検出照度ＥＦ０が１回前の検出照度ＥＦ１から変化しているか否かを判断する。すなわち、ＴＨ２＝０となっており、ＥＦ０≠ＥＦ１であればＳ１２４へ進み、ＥＦ０＝ＥＦ１であればＳ１０２に戻る。Ｓ１２４では、上側照度センサ３２からの最新の検出照度ＥＵ０が１回前の検出照度ＥＵ１から変化しているか否かを判断する。すなわち、ＴＨ２＝０となっており、ＥＵ０≠ＥＵ１であればＳ１０８へ進み、ＥＵ０＝ＥＵ１であればＳ１０２に戻る。Ｓ１０８では、両照度センサ３１，３２からの検出照度に対応した値をＴ秒毎にＮ回読み込み、ＲＡＭ１１３に格納する。Ｓ１２６では、正面側照度センサ３１からの所定回数Ｎの検出照度ＥＦ０〜ＥＦ５が全て同一であり、かつ、上側照度センサ３２からの所定回数Ｎの検出照度ＥＵ０〜ＥＵ５が全て同一であるか否かを判断する。条件成立時にはＳ１１６へ進み、検出照度ＥＦ０〜ＥＦ５に一つでも不一致があるか、又は、検出照度ＥＵ０〜ＥＵ５に一つでも不一致がある場合にはＳ１０２に戻る。
以上より、表示装置周囲の照度に短期間の変化が起こることにより表示輝度Ｌ１に短期間の変化が生じる煩わしさを簡易な構成で適切に抑制することができる。
【００４９】
また、上側照度センサ３２が無くても、本発明の基本的な作用及び効果が得られる。さらに、Ｓ１０４，Ｓ１０６，Ｓ１２２，Ｓ１２４の判断処理が行われなくても、本発明の基本的な作用及び効果が得られる。  図８は、正面側照度センサ３１のみを用いた簡易な構成のバックライト明るさ補正処理をフローチャートにより示している。本フローは、図５のフローと比べて、Ｓ１０４〜Ｓ１０８が無く、Ｓ１１２〜Ｓ１１４がＳ１３２に置き換わっている。
【００５０】
処理を開始すると、マイコン１１０は、正面側照度センサ３１からの検出照度に対応した値をＴ秒毎となるように読み込み、ＲＡＭ１１３に格納する（Ｓ１０２）。Ｓ１１０では、正面側照度センサ３１からの連続した所定回数Ｎの検出照度ＥＦ０〜ＥＦ５のうち、最大照度をＥＦmax、最小照度をＥＦminとして、最大照度ＥＦmaxと最小照度ＥＦminとの差異を表す差異値Ｒ１＝ＥＦmax−ＥＦminを算出する。Ｓ１３２では、差異値Ｒ１と閾値（所定量）ＴＨ１（ＴＨ１≧０）との大小関係を判断する。Ｓ１３２では、差異値Ｒ１が閾値ＴＨ１以下又は未満である場合にＳ１１６へ進み、差異値Ｒ１が閾値ＴＨ１より大又は以上の場合にＳ１０２に戻る。
以上によっても、表示装置周囲の照度に短期間の変化が起こることにより表示輝度Ｌ１に短期間の変化が生じる煩わしさを適切に抑制することができる。
【００５１】
以上説明したように、本発明によると、種々の態様により、表示装置周囲の照度に短期間の変化が起こることにより表示輝度に短期間の変化が生じる煩わしさを適切に抑制することが可能な表示装置、表示方法、テレビジョン、テレビジョンの制御方法、表示プログラム、テレビジョンの制御プログラム、これらのプログラムを記録したコンピュータ読み取り可能な非伝送媒体、等を提供することができる。
【００５２】
なお、従属請求項に係る構成要件を有しておらず独立請求項に係る構成要件のみからなる装置、システム、方法及びプログラムでも、上述した基本的な作用、効果が得られる。
【００５３】
また、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００５４】
１…テレビジョン（表示装置）、
２…表示部、３…照度検出手段、
３ａ…第一の照度検出手段、３ｂ…第二の照度検出手段、
４…輝度調整手段、５…照度差異判断手段、
８…キャビネット、９…リモートコントロール装置、
１０…表示画面、
３１…正面側照度センサ、３２…上側照度センサ、
ＥＦ０〜ＥＦ５…正面側検出照度、ＥＵ０〜ＥＵ５…上側検出照度。
【図１】
0005644385.tif 000002
【図２】
0005644385.tif 000003
【図３】
0005644385.tif 000004
【図４】
0005644385.tif 000005
【図５】
0005644385.tif 000006
【図６】
0005644385.tif 000007
【図７】
0005644385.tif 000008
【図８】
0005644385.tif 000009
【図９】
0005644385.tif 000010